(57)【特許請求の範囲】
【請求項１】
電源投入後、またはリセット後の任意の放送局の放送受信中における受信ヌルシンボル期間において他の受信可能放送局を自動的に探索して受信放送局の周波数テーブルを作成し、記憶させる手段を備えたことを特徴とするデジタル放送受信機。
【請求項２】
請求項１記載のデジタル放送受信機において、受信ヌルシンボル期間の受信放送局探索期間中に、検出された放送局の同期フラグ検出処理を停止させる手段を備えたことを特徴とするデジタル放送受信機。
【発明の詳細な説明】
【０００１】
【発明の属する技術分野】
本発明はデジタル放送受信機に関する。
【０００２】
【従来の技術】
従来のデジタル放送受信機において、図８のフローチャートに示すように、デジタル放送受信機の初期使用時、またはデジタル放送受信機のリセットされたとき（ステップＳ３１）、現在受信することができる放送局を全て捜索して放送局の周波数テーブルがプリセットメモリなどに記憶されているか否かがチェックされて（ステップＳ３２）、記憶されていないと判別されたときには、現在受信することができる放送局を全て捜索して、探索により受信することができる放送局の周波数を周波数テーブルの形でプリセットメモリなどに逐一記憶させて行き（ステップＳ３３）、プリセットキーを押して選局を行って受信を行っている（ステップＳ３４）。
【０００３】
ステップＳ３２において、既に現在受信することができる放送局の周波数テーブルがプリセットメモリなどに記憶されていると判別されたときは、メニュー画面を操作して、取扱説明書などから調べた現在の受信地域番号を指定し（ステップＳ３６）、プリセットキーを押して選局を行って受信を行っている（ステップＳ３４）。
【０００４】
また、ステップＳ３１において、初期使用時でないとき、またはリセットしたときでないときは、直接プリセットキーを押すことによって選局を行って受信を行っている。
【０００５】
また、車載デジタル放送受信機等において、受信位置が移動することによって発生する受信状況の悪化を改善する目的で、図９に示すように、デジタル放送受信チューナ３１とデジタル放送受信チューナ３２とを使用したダイバーシティデジタル放送受信機を用いる場合は、例えば、図１０のフローチャートに示すように、チューナ３１によりデジタル放送を受信している間、チューナ３２によって他の放送局が探索され（ステップＳ４１）、この探索によって受信可能な放送局の周波数テーブルが作成され（ステップＳ４２）、ステップＳ４２により作成された周波数テーブルが既に作成されている周波数テーブルから変化しているか否かがチェックされる（ステップＳ４３）。
【０００６】
ステップＳ４３において周波数テーブルが変化したと判別されたときはチューナ３１による受信状態が変化したか否かがチェックされ（ステップＳ４４）、受信状態が変化したと判別されたとき、新しい周波数テーブルに格納されている周波数の放送局をチューナ３２にて受信する（ステップＳ４５）ようにすることも可能である。
【０００７】
【発明が解決しようとする課題】
しかしながら、上記した従来の方法によるときは、例えばヨーロッパで行われているデジタル放送の場合、現行のアナログ放送と違い放送方式の多様な組み合わせが存在することからその識別に時間がかかって、放送局の探索に相当の時間を必要とするという問題点がある。
【０００８】
また、デジタル放送であるためアナログ放送に対するラジオのような速度で放送局の探索が行えず時間がかかるという問題点がある。
【０００９】
さらに、初期使用時使用者が地域選択を行うためには、取扱説明書などから地域の番号を調べその入力モードに入る必要があり、メニュー選択動作の一つの操作としてかかる動作を行うために、電源を入れてから地域選択を終了するまでには時間がかかるという問題があった。
【００１０】
さらにまた、チューナを複数使用することが非効率であるという問題点もある。
【００１１】
本発明は、１つのチューナで受信音を実質的に途切れさせることなく、他周波数の放送局受信可否などの情報を得ることができるデジタル放送受信機を提供することを目的とする。
【００１２】
【課題を解決するための手段】
本発明にかかるデジタル放送受信機は、電源投入後、またはリセット後の任意の放送局の放送受信中における受信ヌルシンボル期間において他の受信可能放送局を自動的に探索して受信放送局の周波数テーブルを作成し、記憶させる手段を備えたことを特徴とする。
【００１３】
本発明にかかるデジタル放送受信機によれば、電源投入後、またはリセット後の任意の放送局の放送受信中における受信ヌルシンボル期間において他の受信可能放送局が自動的に探索されて受信放送局の周波数テーブルが作成されて、記憶させられるために、１つのチューナで受信音を実質的に途切れさせることなく、他周波数の放送局受信可否などの情報を得ることができる。
【００１４】
また、デジタル放送はアナログ放送と異なり、あるタイミングで切り替えないと音声が切り替えに使用した時間以上に途切れてしまうが、本発明のデジタル放送受信機では、ヌルシンボル期間に探索が行われるために、このようなことはなく、出力音声が途切れることはない。
【００１７】
本発明のデジタル放送受信機において、受信ヌルシンボル期間の受信放送局探索期間中に、検出された放送局の同期フラグ検出処理を停止させる手段を備えたことを特徴とする。
【００１８】
本発明のデジタル放送受信機によれば、受信ヌルシンボル期間の受信放送局探索期間中に、検出された放送局の同期フラグ検出処理が停止されるために、他放送局の探索中、本来受信している放送局のヌルシンボル期間外の他情報のデコードが停止されることはない。
【００１９】
【発明の実施の形態】
以下、本発明にかかるデジタル放送受信機を実施の一形態によって説明する。
【００２０】
図１は本発明の実施の一形態にかかるデジタル放送受信機の概略構成を示すブロック図であり、ＤＡＢ放送受信機の場合を例示している。
【００２１】
本発明の実施の一形態にかかるデジタル放送受信機１の構成説明の前に、ＤＡＢにおける伝送フレームについて説明する。
【００２２】
ＤＡＢではＯＦＤＭ変調が用いられており、ＤＡＢの伝送フレーム（モード１の場合）は図５および図６に示すように、伝送フレーム（１伝送フレームの期間＝９６ｍｓ）は、ヌルシンボル（ヌルシンボル期間（Ｔｎｕｌｌ＝１．２９７ｍｓ））、タイミング計算などのための固定シンボルであるＰＲＳ（Phase  Reference  Symbol）、１２のＦＩＢ(Fast  Information  Block)からなり情報高速アクセスのために用いられるＦＩＣ(Fast  Information  Channel)、６３のＣＩＦ（Common  Interleaved  Frame）からなりオーディオおよびデータコンポネント伝送のために用いられるＭＳＣ（Main  Service  Channel）で構成されている。
【００２３】
ＰＲＳ、ＦＩＢおよびＣＩＦは時間長１.２９６ｍｓであり、０．２４６ｍｓのガードインターバルと１ｍｓの有効シンボル長Ｔｕからなっている。
【００２４】
図１に戻ってデジタル放送受信機１は、受信信号は可変利得増幅器２および可変利得増幅器２の利得を制御する制御回路３をからなるＡＧＣ回路４に供給されて増幅され、ＡＧＣ回路４の出力は検波器５にて検波される。検波器５の検波出力に基づき、制御のためのマイクロコンピュータ１８からの出力をＤ／Ａ変換器２０にて変換した出力により制御回路３を介して可変利得増幅器２の利得が制御される。
【００２５】
検波器５からの検波出力はミキサ６においてＰＬＬ回路７の出力と周波数混合されて中間周波信号に変換され、中間周波信号はバンドパスフィルタ８に供給されて帯域制限される。
【００２６】
バンドパスフィル８からの出力は可変利得増幅器９および可変利得増幅器９の利得を制御するパワー検出器１１からなるＡＧＣ回路１２に供給されて増幅のうえ、Ａ／Ｄ変換器１０によってデジタルデータに変換され、パワー検出器１１を介してＦＦＴ回路１２に供給されてＦＦＴ変換され、復調器１４により復調のうえ音声信号として出力される。
【００２７】
さらに説明すれば、ＰＬＬ回路７はマイクロコンピュータ１８から出力される分周比情報を受けてミキサ６において周波数混合される周波数に設定され、ミキサ６において受信ＲＦ信号が中間周波信号に変換される。中間周波信号はＡ／Ｄ変換のうえパワー検出器１１に供給されて、適性レベルを保つように可変利得増幅器９にてＡＧＣされる。
【００２８】
可変利得増幅器９からの出力は検波器１５に供給されて検波され、検波器１５からの検波出力はＡ／Ｄ変換器１６にてＡ／Ｄ変換されてマイクロコンピュータ１８に供給され、検波器５からの検波出力もＡ／Ｄ変換器１７によってＡ／Ｄ変換されてマイクロコンピュータ１８に供給され、マイクロコンピュータ１８によって受信している放送の受信電波レベルが認識される。
【００２９】
一方、ＦＦＴ回路１２からの出力とマイクロコンピュータ１８から出力される定数とが乗算器１９にて乗算されてマイクロコンピュータ１８に供給され、乗算器１９の最大乗算出力に基づいてマイクロコンピュータ１８によって同期フラグが検出される。
【００３０】
これをさらに説明すれば、入力されたＰＲＳ信号はＦＦＴ回路１３にてＦＦＴ変換されて、ＦＦＴ変換されたＰＲＳ信号の共役複素数である前記定数とＦＦＴ変換されたＰＲＳ信号とを乗算器１９にて乗算することにより相互相関がとられ、この相互相関の相互相関パワースペクトラムを逆フーリエ変換することによってインパルス応答を得て、このインパルス応答が同期フラグとして出力される。この同期フラグの検出時期に基づいて、ＦＩＣ中のＦＩＢ、ＭＳＣ中のＣＩＦの区別が可能となる。
【００３１】
上記のように構成されたデジタル放送受信機１において、ヌルシンボル時間内における作用について図２および図３にしたがって説明する。
【００３２】
デジタル放送受信機１には、予め各地域の受信周波数テーブルの情報、各地域の代表的な周波数（日本でいえばＮＨＫの放送局の周波数）のみの周波数テーブルｚがメモリに格納されている。
【００３３】
デジタル放送受信機１がリセットされると、デフォルトチャンネル放送局の放送受信にアクセスされてデフォルト放送局の放送受信が開始される（ステップＳ１）。ステップＳ１に続いて同期が採れたか否かがチェックされ、同期が採れないと判別されると周波数テーブルｚにしたがって次の周波数の放送が探索される（ステップＳ３）。
【００３４】
ステップＳ３において同期が採れたと判別されたときには、復調がなされ音声信号が出力される（ステップＳ４）。ステップＳ４に続いて受信した放送局の周波数が格納されている周波数テーブルがメモリから呼び出される（ステップＳ５）。ステップＳ５に続いて、ヌルシンボル期間中に該当する周波数の放送のみを順次探索して該周波数の放送の受信、検波が行われる（ステップＳ６）。
【００３５】
ステップＳ６における検波出力のレベルが閾値以上か否かがチェックされ（ステップＳ７）。ステップＳ７において閾値以上でないと判別されたときはステップＳ６から繰り返される。ステップＳ７において閾値以上であると判別されたときはその放送局の周波数が記憶され（ステップＳ８）、次の周波数の放送受信に移行させられ（ステップＳ９）、ステップＳ６からの探索操作を繰り返してｎ個の放送局の周波数を記憶したとき（ステップＳ１０）、ステップＳ１０によって得た周波数テーブルとメモリ内の周波数テーブルと比較されて該当する周波数テーブルｘが選択される（ステップＳ１１）。
【００３６】
ステップＳ１１に続いて周波数テーブルｘがステップＳ１０によって得た周波数テーブルに更新される（ステップＳ１２）。
【００３７】
ステップＳ１からステップＳ１２の実行によって、リセット時における周波数テーブルｘの変更が行われる。
【００３８】
また、周波数テーブルｘが選択されたのちヌルシンボル期間中に全ての放送局が探索され、検波され（ステップＳ１４）、既周波数テーブル以外の周波数の放送受信に基づく検波出力か否かがチェックされる（ステップＳ１５）。ステップＳ１５において、既周波数テーブル以外の周波数の放送受信に基づく検波出力でないと判別されたときはステップＳ１４から繰り返して実行される。
【００３９】
ステップＳ１５において、既周波数テーブル以外の周波数の放送受信に基づく検波出力であると判別されると、現周波数テーブルｘの他の周波数テーブルｙにおける放送局の周波数に当てはまるか否かがチェックされる（ステップＳ１６）。
【００４０】
ステップＳ１６のチェックにおいて当てはまらないと判別されると、新しい放送局の周波数が周波数テーブルｘに加えられて、新たに、周波数テーブルｘとされ（ステップＳ１７）、次いでステップＳ１４から繰り返して実行される。
【００４１】
ステップＳ１６のチェックにおいて当てはまると判別されると、ステップＳ１６に続いて、周波数テーブルｘおよび周波数テーブルｙの放送局のみ順次受信し、検波され（ステップＳ１８）、周波数テーブルｙの周波数の放送受信時における検波出力が閾値を超え、かつ周波数テーブルｘの周波数の放送受信時における検波出力が閾値未満かがチェックされる（ステップＳ１９）。
【００４２】
ステップＳ９におけるチェックにおいて、周波数テーブルｙの周波数の放送受信時における検波出力が閾値を超えておらず、かつ周波数テーブルｘの周波数の放送受信時における検波出力が閾値以上のときには、ステップＳ１８から繰り返して実行され、周波数テーブルｙの周波数の放送受信時における検波出力が閾値を超えており、かつ周波数テーブルｘの周波数の放送受信時における検波出力が閾値未満のときには周波数テーブルｙに変更される（ステップＳ２０）。
【００４３】
上記を繰り返して、閾値以上の信号レベルが存在する周波数テーブルが生成されて、この生成された周波数テーブルと予め記録されている各地区の受信周波数テーブルと比較することで、地域の特定が可能になる。
【００４４】
次にステップＳ６およびステップＳ１４について、ヌルシンボル期間中の探索について図３に基づいて説明する。
【００４５】
放送局Ａの放送が受信されている最中にステップＳ６、またはステップＳ１４の実行にはいる（ステップＳ１０１）。
【００４６】
ステップＳ１０１に続いて同期フラグ検出時から（Ｔ１）ｍｓ経過したか否かがチェックされる（ステップＳ１０２）。ここで、（Ｔ１）ｍｓは９４．７０４ｍｓ（＝Ｔｆ−Ｔｎｕｌｌ）＜Ｔ１＜Ｔ２＜９６ｍｓ（＝Ｔｆ）に選択してある。
【００４７】
ここで、ＤＡＢでは図５に示すような構成で信号が送られてくる。しかるにヌルシンボル中にはＴＩＩ（放送局識別）情報が入っているが基本的になにもない。したがって、モードによりこのヌルシンボル期間が異なるが、このヌルシンボル期間中の情報は必要ないため、この期間中にこのチューナーで他の局の信号を探しに行くことができる。
【００４８】
この他局を探索に行く時間は、前回の伝送フレームで得られた同期フラグからモード１であれば次のヌルシンボルがくる９４．７０４ｍｓ後から９６ｍｓの間であり、９６ｍｓの直前に現在の受信放送局にデジタル放送受信機１の制御をあわせれば、同期がはずれずＴＩＩ情報を除くすべての情報は確保されることになる。
【００４９】
ステップＳ１０２において（Ｔ１）ｍｓ経過したと判別されたときは、ＡＧＣが固定、すなわち可変利得増幅器の利得が固定され、同期処理が停止される（ステップＳ１０３）。
【００５０】
ステップＳ１０３においてＡＧＣ回路４および１２による可変利得増幅器２および９の利得が固定されるのは、他の周波数の放送局を探索するときに該放送局の受信レベルによってＡＧＣ回路４および１２による可変利得増幅器２および９の利得が変動させられて、前記他の放送局の受信信号レベルが低いときでも受信可能と判別しないようにするためである。
【００５１】
また、ステップＳ１０３において同期処理が停止されるのは、新しい放送局を探索して受信するため、この新しい放送局の受信信号中におけるＰＲＳ信号を検出して同期フラグを検出することを停止して、ＦＩＣ中のＦＩＢ、ＭＳＣ中のＣＩＦのデコードを行わせないためである。
【００５２】
ステップＳ１０３に続いて、放送局ＡをＮとし（ステップＳ１０４）、続いてＮが最高受信周波数の放送局か否かがチェックされる（ステップＳ１０５）。ステップＳ５においてＮが最高受信周波数の放送局であると判別されたときは、Ｎを最高受信周波数の放送局としてステップＳ１０５が実行される（ステップＳ１０６）。
【００５３】
ステップＳ１０５においてＮが最高受信周波数の放送局でないと判別されたときは放送局が次の放送局（Ｎ＋１）の周波数に合わされて検波が行われ（ステップＳ１０７）、検波出力が予め定めた閾値以上か否かがチェックされる（ステップＳ１０８）。ステップＳ１０８において閾値上と判別されたときは放送局（Ｎ＋１）の周波数が記憶され（ステップＳ１０９）、同期フラグ発生時から（Ｔ２）ｍｓ経過したか否かがチェックされる（ステップＳ１１０）。
【００５４】
ステップＳ１１０において、（Ｔ２）ｍｓ経過したと判別されたときは放送局Ａに戻される（ステップＳ１１１）。
【００５５】
ステップＳ１０８において、閾値未満と判別され、かつ同期フラグ発生から（Ｔ２）ｍｓ経過したと判別されたときは（ステップＳ１１２）、ステップＳ１１１が実行される。ステップＳ１０８において、閾値未満と判別され、かつ同期フラグ発生から（Ｔ２）ｍｓ経過していないと判別されたときは、放送局Ｎ＝Ｎ＋１が実行され（ステップＳ１１４）、続いてステップＳ１０５から繰り返して実行される。
【００５６】
ステップＳ１１１に続いて、ＡＧＣの固定処理の解除、すなわち可変利得増幅器の利得の固定が解除され、同期処理の停止が解除され（ステップＳ１１５）、ステップＳ１１５に続いて同期フラグが検出されるのを待って（ステップＳ１１６）、放送局Ａの放送受信に戻される。
【００５７】
上記のように、使用者がはじめてデジタル放送受信機１に電源を入れたとき、またはリセットしたとき、まずデフォルトの放送局の周波数にアクセスされ、この放送局が存在しなければ各地域の代表的なチャンネルのみの周波数テーブルにしたがって探索が行われる。
【００５８】
この作業で受信できた初めの放送局の放送が受信され、復調されて、音声出力がされる。この後、他の放送局の探索が行われる。このとき効率をあげるために、はじめに受信したチャンネルが登録されている一つ以上の周波数テーブルチャンネルのみシークするようにする。この作業を行っている間、音声は実質的に途切れていない。
【００５９】
この他局の探索に行き、そこにＤＡＢ信号が存在するか正確に判断することはこのヌルシンボル期間内ではできない。これは、ヌルシンボル期間はモード１の場合１．２９７ｍｓであり、ＰＲＳは１．２４６ｍｓであって、例えば放送局Ａのヌルシンボル期間中に放送局Ｂの選局を行っても、放送局Ｂの同期フラグ検出がヌルシンボル期間にできないためであり、その周波数の信号を検波するのである。ここにある閾値以上の信号レベルが存在すればとりあえず放送局が存在するとする。
【００６０】
また、ＰＲＳの先頭で同期が取られ、ここを時間的に基準として、図６に示すように、ｔｓ時間後に情報が送られてくることを基準にして他放送局の探索を行うのである。また、図６に代わって図７に示すように、２伝送フレームを１単位として、第２伝送フレーム目の斜線で示したヌルシンボル期間で他放送局の探索を行ってもよい。
【００６１】
また、確実に、ＯＦＤＭ信号とそれ以外の認識を行うのであれば、図４に示すように、例えば３個のフィルタを用いて、識別すればよい。
【００６２】
すなわち、図４（ａ）および図４（ｂ）に示すように、バンドパスフィルタ８の出力である中間周波数の中心周波数をセンタ周波数とする帯域幅１００ｋＨｚのバンドパスフィルタ２２と、（前記中心周波数−５００）ｋＨｚをセンター周波数とする帯域幅１００ｋＨｚのバンドパスフィルタ２１と、（前記中心周波数＋５００）ｋＨｚをセンター周波数とする帯域幅１００ｋＨｚのバンドパスフィルタ２３とを設け、バンドパスフィルタ２１、２２および２３の出力を検波器２４、２５、２６に検波することによって、各検波器２４、２５および２６から出力が発生しているときＯＦＤＭ信号であると判別することができるためである。
【００６３】
このようにすることで判別できるのは、センタ周波数を中心にして帯域幅１．５３６ＭＨｚの帯域にわたって、ほぼ同一のレベルでＯＦＤＭ変調波が送られてくるためである。
【００６４】
また、車載デジタル放送受信機などで位置が移動する場合、登録された周波数テーブルに格納されている周波数の放送局の受信ができないなど、異なる状況が発生することがある。このような状況が発生する可能性があるため、一度周波数テーブルが確定された後、すべての放送局に対し検波動作を行うようにする。このように行えば今まで受信できなかった放送局の検波出力レベルが上昇し、逆に受信可能であった放送局の検波出力レベルが下がってきたことなどが認識できて、その変化した周波数テーブルに自動的に変更することが可能になる。
【００６５】
【発明の効果】
以上説明したように本発明にかかるデジタル放送受信機によれば、電源投入後、またはリセット後の任意の放送局の放送受信中における受信ヌルシンボル期間において他の受信可能放送局を自動的に探索して放送周波数テーブルを作成し、記憶するようにしたため、出力音声を実質的に途切れさせることなく他の放送局に対する周波数テーブルを得ることができる。
【図面の簡単な説明】
【図１】本発明の実施の一形態にかかるデジタル放送受信機の概略構成を示すブロック図である。
【図２】本発明の実施の一形態にかかるデジタル放送受信機の作用の説明に供するフローチャートである。
【図３】本発明の実施の一形態にかかるデジタル放送受信機の作用の説明に供するフローチャートである。
【図４】本発明の実施の一形態にかかるデジタル放送受信機におけるＤＦＤＭ信号識別回路の概略構成を示すブロック図である。
【図５】ＤＡＢの伝送フレームの説明に供する説明図である。
【図６】本発明の実施の一形態にかかるデジタル放送受信機における他放送局の探索のためのヌルシンボル期間の説明に供するフローチャートである。
【図７】本発明の実施の一形態にかかるデジタル放送受信機における他放送局の探索のためのヌルシンボル期間の説明に供するフローチャートである。
【図８】従来のデジタル放送受信機における他放送局の探索作用の説明に供するフローチャートである。
【図９】従来の２チューナデジタル放送受信機の構成を示す概略構成を示すブロック図である。
【図１０】従来の２チューナデジタル放送受信機における他放送局の探索作用の説明に供するフローチャートである。
【符号の説明】
２および９  可変利得増幅器
４および１２  ＡＧＣ回路
５および１５  検波器
６  ミキサ
１３  ＦＦＴ回路
１８  マイクロコンピュータ
１９  乗算器
【図１】
0003842585.tif 000002
【図２】
0003842585.tif 000003
【図３】
0003842585.tif 000004
【図４】
0003842585.tif 000005
【図５】
0003842585.tif 000006
【図６】
0003842585.tif 000007
【図７】
0003842585.tif 000008
【図８】
0003842585.tif 000009
【図９】
0003842585.tif 000010
【図１０】
0003842585.tif 000011